(57)【特許請求の範囲】
【請求項１】
目地部を介して設けられた左右の建物を接続する部分に設置される床用目地装置において、該床用目地装置を前記左右の建物が地震時に異なる前後左右方向に揺れ動いても、その揺れ動きに追従移動することができる設置手段を介して取付けられた複数本の目地プレート支持バーと、この複数本の目地プレート支持バー上を覆うように、該複数本の目地プレート支持バーに枢支され、かつ両端部にスライド移動でき、通常時には収縮用の隙間を有する係合部が形成された複数枚の目地プレートとからなる目地カバーを用いて構成したことを特徴とする床用目地装置。
【請求項２】
複数枚の目地プレートの係合部は相欠状の係合片と係合片とで構成されていることを特徴とする請求項１記載の床用目地装置。
【請求項３】
複数枚の目地プレートの係合部はほぞ継形状に形成されていることを特徴とする請求項１記載の床用目地装置。
【請求項４】
設置手段は複数本の目地プレート支持バーの両端部をスライド移動可能に支持するように、左右の建物の目地部側の床躯体に形成された一対の目地プレート支持バースライド支持凹部と、複数本の目地プレート支持バーのほぼ中央部を目地部のほぼ中央部に常時位置させることができるように、左右の建物の目地部側床躯体に両端部が取付けられ、かつ中央部に枢支部が複数本の目地プレート支持バーのいずれかのほぼ中央部に枢支された少なくとも２個以上の中央維持リンクと、前記複数本の目地プレート支持バーの両端部を前記左右の建物の異なる前後方向の揺れ動き時には一体となり、異なる左右方向の揺れ動き時には左右方向に移動できるように案内するガイド手段とで構成されていることを特徴とする請求項１記載の床用目地装置。
【請求項５】
設置手段は複数本の目地プレート支持バーの一端部を一方の建物の目地部側床躯体に枢支し、他端部を他方の建物の目地部側床躯体に形成した目地プレート支持バースライド支持凹部に支持させるとともに、該目地プレート支持バーの他端部を、建物の異なる前後方向の揺れ動き時には一体となり、異なる左右方向の揺れ動き時には左右方向に移動できるように案内するガイド手段とで
構成されていることを特徴とする請求項１記載の床用目地装置。
【発明の詳細な説明】
【技術分野】
【０００１】
本発明は目地部を介して設けられた左右の建物を接続する部分に設置される床用目地装置に関する。
【背景技術】
【０００２】
従来、この種の床用目地装置は目地部をセメントやモルタルを充填した金属材製の浅皿状の目地プレートを用いたり、複数本の目地プレート支持バーに所定間隔で枢支した、重ね合わされて設置される複数枚のクランク状に曲げられた目地プレートを用いている。
【０００３】
このため、前者は目地プレートが重くなるため、設置作業が大変になるという欠点があり、後者は設置作業が容易であるが、クランク状に曲げられた目地プレートを重ね合わせるように設置するため、上面が傾斜面になったり、高さが順次高くなったり、低くなるようにしか設置することができなかった。
【先行技術文献】
【特許文献】
【０００４】
【特許文献１】特許第３６９１７７８号公報
【発明の概要】
【発明が解決しようとする課題】
【０００５】
本発明は以上のような従来の欠点に鑑み、設置作業が容易にできるとともに、上面が目地部を有する平坦面にでき、安全で、美観の向上を図ることができる目地カバーを用いた床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物を接続する部分に設置される床用目地装置において、該床用目地装置を前記左右の建物が地震時に異なる前後左右方向に揺れ動いても、その揺れ動きに追従移動することができる設置手段を介して取付けられた複数本の目地プレート支持バーと、この複数本の目地プレート支持バー上を覆うように、該複数本の目地プレート支持バーに枢支され、かつ両端部にスライド移動でき、通常時には収縮用の隙間を有する係合部が形成された複数枚の目地プレートとからなる目地カバーを用いて床用目地装置を構成している。
【発明の効果】
【０００８】
以上の説明から明らかなように、本発明にあっては次に列挙する効果が得られる。
（１）請求項１により、複数本の目地プレート支持バー上を覆うように、該複数本の目地プレート支持バーに枢支され、かつ両端部にスライド移動でき、通常時には収縮用の隙間を有する係合部が形成された複数枚の目地プレートを用いているので、左右の建物の目地部に隙間で目地部となる複数枚の目地プレートで、平坦な状態で覆うことができる。
したがって、美観の向上を図ることができるとともに、複数本の目地プレート支持バーが異なる前後方向に移動し、複数枚の目地プレートの間隔が狭くなると隙間が小さくなって、その揺れ動きを吸収することができる。    
（２）前記（１）により、複数枚の目地プレートの間隔が狭くなる場合、複数枚の目地プレートの両端部は階段状になって、目地部に隙間が生じたりするのを効率よく阻止することができる。
（３）前記（１） により、複数枚の目地プレートの両端部は、通常時には収縮用の隙間を有する係合部を形成しているので、複数本の目地プレート支持バーに取付ける場合、収縮用の隙間を介するように係合させて目地プレートを取付ければよく、容易に取付けることができる。
（４）請求項２、３も前記（１）〜（３）と同様な効果が得られるとともに、係合部の形状の加工が容易で、目地プレートの加工を安価に行なうことができる。
（５）請求項４、５も前記（１）〜（３）と同様な効果が得られる。
【図面の簡単な説明】
【０００９】
【図１】本発明を実施するための第１の形態の平面図。
【図２】図１の２−２線に沿う断面図。
【図３】一対の目地プレート支持バースライド支持凹部の説明図。
【図４】中央支持バーを中央維持リンクで支持した状態の説明図。
【図５】本発明を実施するための第１の形態の目地プレート支持バーの取付け状態の説明図。
【図６】本発明を実施するための第１の形態の目地プレートの説明図。
【図７】本発明を実施するための第１の形態の目地部が狭くなった揺れ動きの動作説明図。
【図８】本発明を実施するための第１の形態の目地部が広くなった揺れ動きの動作説明図。
【図９】本発明を実施するための第１の形態の異なる前後方向の揺れ動きの動作説明図。
【図１０】本発明を実施するための第２の形態の平面図。
【図１１】図１０の１１−１１線に沿う断面図。
【図１２】本発明を実施するための第２の形態の目地プレートの説明図。
【図１３】本発明を実施するための第３の形態の平面図。
【図１４】図１３の１４−１４線に沿う断面図。
【図１５】本発明を実施するための第３の形態の目地プレートの説明図。
【図１６】本発明を実施するための第４の形態の平面図。
【図１７】図１６の１７−１７線に沿う断面図。
【図１８】本発明を実施するための第４の形態の目地プレート支持バーの取付け状態の説明図。
【図１９】本発明を実施するための第４の形態の目地部が狭くなった揺れ動きの動作説明図。
【図２０】本発明を実施するための第４の形態の目地部が広くなった揺れ動きの動作説明図。
【図２１】本発明を実施するための第４の形態の異なる前後方向の揺れ動きの動作説明図。
【図２２】本発明を実施するための第５の形態の平面図。
【図２３】図２２の２３−２３線に沿う断面図。
【図２４】本発明を実施するための第５の形態の目地プレートの説明図。
【図２５】本発明を実施するための第6の形態の平面図。
【図２６】図２５の２６−２６線に沿う断面図。
【図２７】本発明を実施するための第6の形態の目地プレートの説明図。
【図２８】本発明を実施するための第7の形態の平面図。
【図２９】図２８の２９−２９線に沿う断面図。
【図３０】本発明を実施するための第7の形態の目地プレートの説明図。
【発明を実施するための形態】
【００１０】
以下、図面に示す本発明を実施するための形態により、本発明を詳細に説明する。
【００１１】
図１ないし図９に示す本発明を実施するための第１の形態において、１は目地部２を介して設けられた左右の建物３、３を接続する部分に設置される本発明の床用目地装置で、この床用目地装置１は前記左右の建物３、３が地震で異なる前後左右方向に揺れ動いても、その揺れ動きに追従移動することができる設置手段４を介して取付けられた複数本の目地プレート支持バー５と、この複数本の目地プレート支持バー５上を覆うように、該複数本の目地プレート支持バー５に所定間隔で枢支され、かつ両端部にスライド移動でき、通常時には収縮用の隙間６、６を有する係合部７、７が形成された複数枚の目地プレート８とからなる目地カバー９とで構成されている。
【００１２】
前記設置手段４は前記複数本の目地プレート支持バー５の両端部をスライド移動可能に支持するように、前記左右の建物３、３の目地部側の通路となる床躯体３ａ、３ａに目地部２の幅寸法Ｌとほぼ同じ幅寸法となるように形成された一対の目地プレート支持バースライド支持凹部１０、１０と、前記複数本の目地プレート支持バー５のほぼ中央部を目地部２のほぼ中央部に常時位置させることができるように、前記左右の建物３、３の目地部側床躯体３ａ、３ａに両端部が取付けられ、かつ中央部の枢支部１１が枢支ピン１２で複数本の目地プレート支持バー５のいずれかのほぼ中央部に枢支された中央支持バー１３ａを備える少なくとも２個以上のパンタグラフ形状の中央維持リンク１３、１３と、前記複数本の目地プレート支持バー５の両端部を前記左右の建物３、３の異なる前後方向の揺れ動き時には一体となり、異なる左右方向の揺れ動き時には左右方向に移動できるように案内する左右方向のガイド溝１４、１４、１４、１４、このガイド溝１４、１４、１４、１４と係合する前記複数本の目地プレート支持バー５のいずれか２本の両端部に取付けられた係合ピン１５、１５、１５、１５とからなるガイド手段１６、１６、１６、１６とで構成されている。
【００１３】
なお、前記中央維持リンク１３、１３はパンタグラフ形状以外で、中央支持バー１３ａを常時目地部の中央部に位置させることができる従来から使用されている機構であれば、どんな機構であってもよい。
【００１４】
前記複数本の目地プレート支持バー５は本発明の実施の形態では５本で、その長さは前記目地部２の約２倍の長さの角材が用いられ、両端部に前記一対の目地プレート支持バースライド支持凹部１０、１０上をスムーズにスライド移動できるようにキャスター１７、１７が取付けられたものが使用されている。
【００１５】
前記複数枚の目地プレート８は図６に示すように板状の目地プレート本体１８と、この板状の目地プレート本体１８の両端部に一体形成された相欠状の係合片１９と係合片２０とからなる係合部７と、前記目地プレート本体１８のほぼ中央部に形成された、該目地プレート本体１８を前記目地プレート支持バー５に枢支ピン２１で枢支する皿状の枢支ピン挿入孔２２とで構成されている。
【００１６】
なお、２３、２３は前記一対の目地プレート支持バースライド支持凹部１０、１０の上部を前記目地カバー９がスライド移動可能に覆うカバープレートである。
【００１７】
また、左右の建物３、３の連絡通路となる目地部２側の床躯体３ａ、３ａと一体形成された側壁２４、２４間には、必要に応じて伸縮および前後方向に回動できる手摺２５、２５を設けて使用する。
【００１８】
上記構成の床用目地装置１は、通常時には図１および図２に示すように、左右の建物３、３を連絡する通路はカバープレート２３、２３、該カバープレート２３、２３間に位置する目地カバー９で覆われ、安全にわたることができるとともに、目地カバー９の複数枚の目地プレート８、８間には収縮用の隙間６を有するように係合部７で覆われているため、ほぼ平坦で、安全に使用することができるとともに、収縮用の隙間６が美観の向上を図る目地部にすることができる。
【００１９】
地震で目地部２が狭くなるように左右の建物３、３が揺れ動いた場合、図７に示すように中央維持リンク１３、１３の中央支持バー１３ａは目地部２の中央部に位置されるので、該中央支持バー１３ａに枢支ピン１２、１２、１２、１２、１２で中央部が枢支された目地プレート支持バー５、５、５、５、５の両端部は一対の目地プレート支持バースライド支持凹部１０、１０内へ入り込んだ状態となり、カバープレート２３、２３との間に少しの数の目地プレート８が位置した目地カバー９状態となって、その揺れ動きを吸収する。
【００２０】
この目地プレート支持バー５、５、５、５、５の一対の目地プレート支持バースライド支持凹部１０、１０スライド移動は、該目地プレート支持バー５、５、５、５、５の両端部の底面に取付けられたキャスター１７、１７によって、スムーズに移動する。
【００２１】
地震で目地部２が広くなるように左右の建物３、３が揺れ動いた場合、図８に示すように中央維持リンク１３、１３の中央支持バー１３ａは目地部２の中央部に位置されるので、該中央支持バー１３ａに枢支ピン１２、１２、１２、１２、１２で中央部が枢支された目地プレート支持バー５、５、５、５、５の両端部は一対の目地プレート支持バースライド支持凹部１０、１０の目地部側へスライド移動した状態となり、カバープレート２３、２３との間に多くの目地プレート８が位置した目地カバー９の状態となって、その揺れ動きを吸収する。
【００２２】
地震により左右の建物３、３が異なる前後方向に揺れ動いた場合、図９に示すようにガイド手段１６、１６、１６、１６によって目地プレート支持バー５、５、５、５、５は前後方向に回動した状態となるため、該目地プレート支持バー５、５、５、５、５に枢支ピン２１で枢支された複数枚の目地プレート８は前後方向で、かつ収縮用の隙間６が小さくなるように前後方向にスライド移動して、その揺れ動きを吸収する。
【００２３】
この時、複数枚の目地プレート８は前後方向にスライド移動するため、両側部は階段状となり、左右の建物３、３の通路間の両端部の床面に隙間が生じるのを防止できる。
【００２４】
なお、左右の建物３、３が異なる前後方向に揺れるとともに、異なる左右方向に揺れ動いても、前述の動作が複合した動作となって、その揺れ動きを吸収することができる。        
【００２５】
[発明を実施するための異なる形態]
次に、図１０ないし図３０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２６】
図１０ないし図１２に示す本発明を実施するための第２の形態において、前記本発明を実施するための第１の形態と主に異なる点は、目地プレート本体１８の一端部にコ字状の係合凹部２６を形成し、他端部に該係合凹部２６と係合する係合片２７を形成した、通常時には収縮用の隙間６を有するほぞ継形状の係合部７Ａが形成された複数枚の目地プレート８Ａを用いて目地カバー９Ａを構成した点で、このような目地カバー９Ａを用いて構成した床用目地装置１Ａにしても、前記本発明を実施するための第１の形態と同様な作用効果が得られる。
【００２７】
図１３ないし図１５に示す本発明を実施するための第３の形態において、前記本発明を実施するための第１の形態と主に異なる点は、目地プレート本体１８の両端部に係合部７Ｂの一部としてのコ字状の係合凹部２６、２６を形成した目地プレート８Ｂと、目地プレート本体１８の両端部に前記目地プレート８Ｂのコ字状の係合凹部２６、２６と係合する係合部７Ｂの一部としての係合片２７、２７を形成した目地プレート８Ｃとを交互に用いて目地カバー９Ｂを構成した点で、このような目地カバー９Ｂを用いて構成した床用目地装置１Ｂにしても、前記本発明を実施するための第１の形態と同様な作用効果が得られる。
【００２８】
図１６ないし図２１に示す本発明を実施するための第４の形態において、前記本発明を実施するための第１の形態と主に異なる点は、一方の建物３の目地部側の床躯体３ａに取付け金具２８を用いて複数本の目地カバー支持バー５の後端部を枢支ピン２９で枢支するとともに、先端部が他方の建物３の目地部側の床躯体３ａに形成した目地プレート支持バースライド支持凹部１０のほぼ中央部に位置させる設置手段４Ａを用いて目地カバー９を設置した点で、このような設置手段４Ａを用いて目地カバー９を設置した床用目地装置１Ｃにしても、前記本発明を実施するための第１の形態と同様な作用効果が得られる。
【００２９】
なお、このような設置手段４Ａを用いて、前記発明を実施するための第２の形態および第３の形態で使用した目地カバー９Ａ、９Ｂを用いて床用目地装置を構成してもよい。
【００３０】
図２２ないし図２４に示す本発明を実施するための第５の形態において、前記
前記本発明を実施するための第１の形態と主に異なる点は、目地プレート本体１８の両端部に係合片１９，１９を形成した目地プレート８Ｄと、目地プレート本体１８の両端部に係合片２０，２０を形成した目地プレート８Ｅとを交互に収縮用の隙間６を有するように配置して目地カバー９Ｃを構成した点で、このような目地カバー９Ｃを用いて構成した床用目地装置１Ｄにしても、前記本発明を実施するための第１の形態と同様な作用効果が得られる。
【００３１】
なお、前記各実施の形態では地震時に目地プレート支持バー５がスムーズに移動できるように目地プレート支持バースライド支持凹部に金属材製の下地材を設置したり、ローラを設置してもよい。
【００３２】
図２５ないし図２７に示す本発明を実施するための第６の形態において、前記
前記本発明を実施するための第１の形態と主に異なる点は、複数本の目地プレート支持バー５、５、５、５、５の上部の左右端部側に小さい幅寸法の目地プレート８，８を枢支ピン２１、２１で枢支するとともに、これらの小さい幅寸法の目地プレート８，８間に大きい幅寸法の目地プレート８Ｆを枢支ピン２１で枢支した目地カバー９Ｄを用いた点で、このような目地カバー９Ｄを用いて構成した床用目地装置１Ｅにしても、前記本発明を実施するための第１の形態と同様な作用効果が得られるとともに、左右のカバープレート２３、２３間に大きい幅寸法の目地プレート８Ｆが位置し、係合片１９と係合片２０との間の隙間を左右のカバープレート２３、２３でかくすことができる。
【００３３】
図２８ないし図３０に示す本発明を実施するための第７の形態において、前記
前記本発明を実施するための第６の形態と主に異なる点は、係合片２０ができるように幅寸法の異なる２枚の板を重ね合わせた小さい幅寸法の目地プレート８Ｇ，８Ｇと、係合片１９ができるように幅寸法の異なる２枚の板を重ね合わせた大きい幅寸法の目地プレート８Ｈを使用した目地カバー９Ｅを用いた点で、このような目地カバー９Ｅを用いて構成した床用目地装置１Ｆにしても、前記本発明を実施するための第６の形態と同様な作用効果が得られる。
【産業上の利用可能性】
【００３４】
本発明は目地部を介して設けられた左右の建物を接続する部分に設けられる床用目地装置を製造する産業で利用される。
【符号の説明】
【００３５】
１、１Ａ、１Ｂ、１Ｃ、１Ｄ、１Ｅ、１Ｆ：床用目地装置、
２：目地部、        ３：建物、
４、４Ａ：設置手段、    ５：目地プレート支持バー、  
６：収縮用の隙間、      ７、７Ａ、７Ｂ：係合部、
８、８Ａ、８Ｂ、８Ｃ、８Ｄ、８Ｅ、８Ｆ、８Ｇ、８Ｈ：目地プレート、
９、９Ａ、９Ｂ、９Ｃ、９Ｄ、９Ｅ：目地カバー、
１０：目地プレート支持バースライド支持凹部、
１１：枢支部、      １２：枢支ピン、
１３：中央維持リンク、    １４：ガイド溝、
１５：係合ピン、      １６：ガイド手段、
１７：キャスター、      １８：目地プレート本体、
１９：係合片、      ２０：係合片、
２１：枢支ピン、      ２２：枢支ピン挿入孔、
２３：カバープレート、    ２４：側壁、
２５：手摺、        ２６：係合凹部、
２７：係合片、      ２８：取付け金具、
２９：枢支ピン。 
【図１】
0005278974.tif 000002
【図２】
0005278974.tif 000003
【図３】
0005278974.tif 000004
【図４】
0005278974.tif 000005
【図５】
0005278974.tif 000006
【図６】
0005278974.tif 000007
【図７】
0005278974.tif 000008
【図８】
0005278974.tif 000009
【図９】
0005278974.tif 000010
【図１０】
0005278974.tif 000011
【図１１】
0005278974.tif 000012
【図１２】
0005278974.tif 000013
【図１３】
0005278974.tif 000014
【図１４】
0005278974.tif 000015
【図１５】
0005278974.tif 000016
【図１６】
0005278974.tif 000017
【図１７】
0005278974.tif 000018
【図１８】
0005278974.tif 000019
【図１９】
0005278974.tif 000020
【図２０】
0005278974.tif 000021
【図２１】
0005278974.tif 000022
【図２２】
0005278974.tif 000023
【図２３】
0005278974.tif 000024
【図２４】
0005278974.tif 000025
【図２５】
0005278974.tif 000026
【図２６】
0005278974.tif 000027
【図２７】
0005278974.tif 000028
【図２８】
0005278974.tif 000029
【図２９】
0005278974.tif 000030
【図３０】
0005278974.tif 000031